(57)【特許請求の範囲】
【請求項１】
シリンダと、該シリンダに組み付けられたシリンダヘッドに設けられたカム軸と、クランク軸の一端部側に配置されて該クランク軸の回転を前記カム軸に伝達するカム軸駆動機構と、前記クランク軸の他端部側に配置されてスタータモータの回転を該クランク軸に伝達するギヤ列とを備え、
前記スタータモータはクランクケース表面に取り付けられ、
前記ギヤ列を構成する複数のギヤの少なくとも１個のギヤのギヤ軸軸線は、クランク軸軸線を含む平面の前記シリンダのシリンダ中心線が位置する側に配置され、
さらに前記平面の前記クランク軸軸線から前記ギヤ列に向かって延びる平面部分と前記シリンダ中心線との挟角が鋭角であり、
前記クランクケースは、分割面により二つのクランクケースに分割されており、
前記平面は前記分割面であることを特徴とするスタータモータ付き頭上カム軸式エンジン。
【請求項２】
前記クランクケースは、前記分割面により上下に分割された上クランクケースと下クランクケースとからなり、前記クランク軸は、前記上クランクケースおよび前記下クランクケースによって支承され、前記ギヤ列を構成する複数のギヤの一部のギヤのギヤ軸軸線が前記分割面の、前記シリンダ中心線が位置する側である上方に配置され、残りのギヤのギヤ軸軸線が前記分割面の下方に配置されていることを特徴とする請求項１記載のスタータモータ付き頭上カム軸式エンジン。
【請求項３】
前記クランクケース表面には、前記スタータモータの下方にさらにオイルフィルタが取り付けられていることを特徴とする請求項１記載のスタータモータ付き頭上カム軸式エンジン。
【請求項４】
前記クランクケースは、前記分割面により上下に分割された上クランクケースと下クランクケースとからなり、前記下クランクケースの下部にはオイルパンが取り付けられ、前記下クランクケースにはオイルポンプが取り付けられ、さらに前記スタータモータおよび前記オイルフィルタは、前記下クランクケース表面に取り付けられていることを特徴とする請求項３記載のスタータモータ付き頭上カム軸式エンジン。
【請求項５】
前記オイルパンの側面に沿って前記シリンダに接続される排気管が配置されていることを特徴とする請求項４記載のスタータモータ付き頭上カム軸式エンジン。
【請求項６】
前記エンジンは、車両に横置きに搭載されるＶ型２気筒エンジンであり、前記シリンダは、前方のバンクに属するシリンダであることを特徴とする請求項１ないし請求項５のいずれか１項記載のスタータモータ付き頭上カム軸式エンジン。
【発明の詳細な説明】
【０００１】
【発明の属する技術分野】
本出願発明は、例えば、自動２輪車等の車両に搭載されるエンジンであって、スタータモータがクランクケース表面に取り付けられた頭上カム軸式エンジンに関する。
【０００２】
【従来の技術】
自動２輪車に搭載され、カム軸がシリンダヘッドに設けられた頭上カム軸式Ｖ型エンジンにおいて、従来、エンジンのクランクケース前面にスタータモータが、オイルパン前面にオイルフィルタがそれぞれ取り付けられたものがあった（特開平１０−１４１０３９号公報参照）。
【０００３】
この従来の頭上カム軸式エンジンは、クランク軸が車両の左右方向を指向するように、いわゆる横置き形式で車両に搭載されていて、その搭載された状態では、前バンクの前シリンダが前方に傾斜し、後バンクの後シリンダが後方に傾斜している。また、前シリンダおよび後シリンダにそれぞれ組み付けられたシリンダヘッドには、動弁機構を介して吸気弁および排気弁を駆動する吸気カム軸および排気カム軸が設けられている。そして、前シリンダの吸気カム軸および排気カム軸の各左端部には、カムスプロケットが取り付けられていて、該カムスプロケットとクランク軸の左端部に取り付けられたドライブスプロケットとの間に掛け渡されたカム軸駆動チェーンにより、両カム軸にクランク軸の回転が伝達されるようになっている。さらに、後シリンダの吸気カム軸および排気カム軸の各右端部には、やはりカムスプロケットが取り付けられていて、該カムスプロケットとクランク軸の右端部に取り付けられたドライブスプロケットとの間に掛け渡されたカム軸駆動チェーンにより、両カム軸にクランク軸の回転が伝達されるようになっている。
【０００４】
一方、クランク軸の左端部には、交流発電機と、該交流発電機に隣接して位置するスタータドリブンギヤとが設けられている。そして、クランクケース前面にはスタータモータが取り付けられており、エンジン始動時に、該スタータモータの回転が、ピニオンギヤおよび減速ギヤからなるギヤ列を介して、クランク軸に取り付けられたスタータドリブンギヤを経て、クランク軸に伝達されるようになっている。
【０００５】
【発明が解決しようとする課題】
ところで、この従来技術では、前方に傾斜している前シリンダのカム軸駆動機構を構成するドライブスプロケット、カム軸駆動チェーンおよびカムスプロケットが、クランク軸の左端部側に設けられているため、クランク軸の左端部側には、該カム軸駆動機構と前記ギヤ列とが設けられている。このため、両者が干渉しないように配置する必要があることから、クランクケース前面に取り付けられているスタータモータの取り付け位置を、クランクケース前面の上方にすることは困難であった。そのため、前記従来技術では、スタータモータと同様にエンジンの前方に取り付けられるオイルフィルタの取り付け位置を、前述のようにクランクケースの下部に装着されたオイルパン前面とせざるを得ず、このことにより、前シリンダから延びる排気管の配置などに制約が生じていた。
【０００６】
本出願発明は、このような事情に鑑みてなされたものであって、請求項１ないし請求項６記載の発明は、クランクケースがクランク軸軸線を通る分割面を有するエンジンにおいて、ギヤ列とカム軸駆動機構との干渉を排除して、スタータモータを可能な限りシリンダに近づけた状態でクランクケース表面に取り付けるようにして、クランクケース表面にスペースを生み出すことを共通の課題とする。
【０００７】
また、請求項２記載の発明は、請求項１記載の発明を、クランクケースがクランク軸軸線を通る分割面により上下に分割されるエンジンに適用するとともに、クランクケースのコンパクト化を図ること、請求項３記載の発明は、さらにエンジンに取り付けられる部品の配置の自由度を増すこと、請求項４記載の発明は、さらにオイル通路構造の単純化とオイルパンの小型化を図ること、請求項５記載の発明は、さらに排気管の配置の自由度を増すこと、請求項６記載の発明は、さらに請求項１ないし請求項５記載の発明をＶ型２気筒エンジンに適用することを、それぞれ課題とする。
【０００８】
【課題を解決するための手段および効果】
本出願の請求項１記載の発明は、シリンダと、該シリンダに組み付けられたシリンダヘッドに設けられたカム軸と、クランク軸の一端部側に配置されて該クランク軸の回転を前記カム軸に伝達するカム軸駆動機構と、前記クランク軸の他端部側に配置されてスタータモータの回転を該クランク軸に伝達するギヤ列とを備え、前記スタータモータはクランクケース表面に取り付けられ、前記ギヤ列を構成する複数のギヤの少なくとも１個のギヤのギヤ軸軸線は、クランク軸軸線を含む平面の前記シリンダのシリンダ中心線が位置する側に配置され、さらに前記平面の前記クランク軸軸線から前記ギヤ列に向かって延びる平面部分と前記シリンダ中心線との挟角が鋭角であり、前記クランクケースは、分割面により二つのクランクケースに分割されており、前記平面は前記分割面であるスタータモータ付き頭上カム軸式エンジンである。
【０００９】
このような請求項１記載の発明によれば、スタータモータがクランクケース表面に取り付けられており、しかもギヤ列に向かって延びる前記平面部分とシリンダ中心線との挟角が鋭角となっているため、シリンダがスタータモータに近づいて位置しているにも拘わらず、ギヤ列は、カム軸駆動機構が配置されているクランク軸一端部側とは反対側のクランク軸他端部側に配置されるので、カム軸駆動機構と干渉することなく、ギヤ列を構成する複数のギヤの少なくとも１個のギヤのギヤ軸軸線を前記平面よりシリンダ寄りに配置することができる。その結果、スタータモータもシリンダに近づけてクランクケース表面に取り付けることが可能となって、スタータモータがシリンダに近づいた分、クランクケース表面にスペースが生み出され、そのスペースを部品の取り付け等に利用できる。
【００１０】
また、前記クランクケースは、分割面により二つのクランクケースに分割されており、前記平面は前記分割面であることにより、クランクケースは、分割面によりシリンダが設けられたクランクケースと、シリンダが設けられていないクランクケースに分割される。そして、ギヤ列を構成する複数のギヤの少なくとも１個のギヤのギヤ軸軸線をシリンダが設けられたクランクケースに配置することができ、したがってスタータモータを、そのクランクケース表面に近づけた状態でシリンダが設けられていないクランクケース表面に取り付けること、またはシリンダが設けられたクランクケース表面に取り付けることができる。その結果、スタータモータをシリンダに近づけて取り付けることが可能となって、スタータモータがシリンダに近づいた分、シリンダが設けられていないクランクケース表面にスペースを生み出すことができる。
【００１１】
請求項２記載の発明のように、請求項１記載のスタータモータ付き頭上カム軸式エンジンにおいて、前記クランクケースは、前記分割面により上下に分割された上クランクケースと下クランクケースとからなり、前記クランク軸は、前記上クランクケースおよび前記下クランクケースによって支承され、前記ギヤ列を構成する複数のギヤの一部のギヤのギヤ軸軸線が前記分割面の、前記シリンダ中心線が位置する側である上方に配置され、残りのギヤのギヤ軸軸線が前記分割面の下方に配置されていることにより、分割面より上方の上クランクケースに、ギヤ列を構成する複数のギヤの少なくとも１個のギヤのギヤ軸軸線を配置することができ、したがってスタータモータを、上クランクケースに近づけた状態で下クランクケース表面に取り付けること、または上クランクケース表面に取り付けることができる。その結果、スタータモータをシリンダに近づけて取り付けることが可能となって、スタータモータがシリンダに近づいた分、下クランクケース表面にスペースを生み出すことができる。
【００１２】
さらに、分割面を挟んでギヤ列を構成する複数のギヤを上クランクケースおよび下クランクケースに分散して配置できるので、スタータモータとクランク軸との間の間隔を大きくすることなくギヤ列を配置でき、クランクケースをコンパクトにすることができる。
【００１３】
請求項３記載の発明のように、請求項１記載のスタータモータ付き頭上カム軸式エンジンにおいて、前記クランクケース表面には、前記スタータモータの下方にさらにオイルフィルタが取り付けられていることにより、クランクケース表面に生み出されたスペースとして、スタータモータの下方のスペースにオイルフィルタを取り付けることができ、オイルフィルタの従来位置の周辺にある部品の配置の自由度が増す。
【００１４】
請求項４記載の発明のように、請求項３記載のスタータモータ付き頭上カム軸式エンジンにおいて、前記クランクケースは、前記分割面により上下に分割された上クランクケースと下クランクケースとからなり、前記下クランクケースの下部にはオイルパンが取り付けられ、前記下クランクケースにはオイルポンプが取り付けられ、さらに前記スタータモータおよび前記オイルフィルタは、前記下クランクケース表面に取り付けられていることにより、オイルポンプが取り付けられている下クランクケースの表面にスタータモータおよびオイルフィルタが取り付けられていることから、オイルポンプからのオイルを、下クランクケースのみに形成されたオイル通路によりオイルフィルタに圧送することが可能となり、オイル通路構造が単純化され、その形成が容易になり、コスト低減が可能となる。さらに、前記従来技術のようにオイルパンにオイル通路を形成する必要がないのでオイルパンの小型化が可能である。
【００１５】
請求項５記載の発明のように、請求項４記載のスタータモータ付き頭上カム軸式エンジンにおいて、前記オイルパンの側面に沿って前記シリンダに接続される排気管が配置されていることにより、従来技術のようにオイルパンの前面にオイルフィルタが突出していないため、オイルパンの周辺に生み出されたスペースを利用することで、排気管のよりコンパクトな配置や性能本位に基づいた配置などの配置の自由度が増す。
【００１６】
請求項６記載の発明のように、請求項１ないし請求項５のいずれか１項記載のスタータモータ付き頭上カム軸式エンジンにおいて、前記エンジンは、車両に横置きに搭載されるＶ型２気筒エンジンであり、前記シリンダは、前方のバンクに属するシリンダであることにより、特にクランク軸軸線方向の幅が狭いＶ型２気筒エンジンにおいて、請求項１ないし請求項５記載の発明の効果をより発揮できる。
【００１７】
なお、この明細書において、クランク軸軸線を含む平面（または分割面）の該クランク軸軸線からギヤ列に向かって延びる平面（または分割面）部分とシリンダ中心線との挟角とは、シリンダ中心線を含んで該平面（または分割面）部分に直交する平面と前記平面（または分割面）部分との交線と、シリンダ中心線とにより挟まれる角度を意味する。
【００１８】
【発明の実施形態】
以下、本出願発明の実施形態を図１ないし図７を参照して説明する。なお、実施形態の説明において、上下および前後左右は、車両における上下および前後左右をそれぞれ意味するものとする。
【００１９】
図１ないし図７に図示された本出願発明の一実施形態であるスタータモータ付き頭上カム軸式エンジンは、自動２輪車に搭載されるスタータモータ付き頭上カム軸式Ｖ型２気筒エンジン１である。
【００２０】
このエンジン１は、クランク軸２が車両の左右方向を指向するように横置き形式で車両に搭載される。その搭載された状態では、前バンクを構成している前シリンダ３は、車両の前方に傾斜し、後バンクを構成している後シリンダは、車両の後方に傾斜している。そして、エンジン１のクランクケースの左側面図（クランクケースカバー７を取り外した状態）である図１およびエンジン１のクランクケースの右側面図（クランクケースカバー７を取り外した状態）である図３に示されるように、鉛直方向に対する前シリンダ３のシリンダ中心線Ｃ１の傾斜角は、後シリンダのシリンダ中心線Ｃ２のそれより大きくされており、両シリンダ中心線Ｃ１，Ｃ２のなす角度は略９０度である。
【００２１】
クランクケースは上下分割式のものであり、分割面Ｐにより、上クランクケース４および下クランクケース５に分割されている。該分割面Ｐは、クランク軸軸線Ｌ１および歯車式変速機のメインシャフトの軸線を含む平面となっている。そして、上クランクケース４には、前シリンダ３および後シリンダが設けられており、下クランクケース５の下部にはオイルパン６が取り付けられている。
【００２２】
また、クランク軸２は、その左右のクランクジャーナル２ａにおいて、主軸受となる左右２個のメタルを介して、上クランクケース４および下クランクケース５に支持されている。さらに、クランクピン２ｂには、前シリンダ３内および後シリンダ内でそれぞれ往復動するピストンのピストンピンに連結されたコネクティングロッド８が連結されている。
【００２３】
図４は、エンジン１の下クランクケース５およびオイルパン６の正面図である。図示されるように、下クランクケース５表面の一部である下クランクケース５前面には、その上下の中央位置より上部に、スタータモータ１０が、またその上下の中央位置より下部に、オイルフィルタ１１が、それぞれ取り付けられている。スタータモータ１０は、そのシャフト１０ａがクランク軸２と平行となるように固定されており、その左端部は、該シャフト１０ａに設けられたピニオンギヤ１２が下クランクケース５内に臨むように、下クランクケース５に形成された孔に挿入されている。また、円筒形状のオイルフィルタ１１は、その円筒の軸線が前後方向を向くように、かつ左右方向において、スタータモータ１０と重なる位置で固定されている。
【００２４】
さらに、図１、図３および図４に二点鎖線で図示されるように、前シリンダ３の前面に開口する排気ポートに接続されている排気管９が、排気ポートから前方斜め下方に向かって延び、それから湾曲して後方斜め下方に延び、さらに湾曲して水平となり、オイルパン６の右側面に沿って後方に延びている。
【００２５】
エンジン１のクランクケースの左側面図である図１に図示されるように、クランク軸２の左端部には、交流発電機２０が固着されている。なお、交流発電機２０は、そのカバーを外した状態で示されている。そして、この交流発電機２０の奥になる左クランクジャーナル２ａ寄りには、交流発電機２０に隣接して、ワンウェイクラッチ１６のクラッチインナ１６ａがクランク軸２に軸受を介して回転自在に設けられている。そして、該クラッチインナ１６ａの外周にスタータドリブンギヤ１５が固着されている（図２参照）。
【００２６】
さらに、この左側のクランクケースには、スタータモータ１０のシャフト１０ａに設けられたピニオンギヤ１２の回転をスタータドリブンギヤ１５に伝達する第１および第２減速ギヤ１３，１４が設けられている。ここで、ピニオンギヤ１２、第１減速ギヤ１３、および第２減速ギヤ１４は、スタータモータ１０の回転をスタータドリブンギヤ１５を介してクランク軸２に伝達するためのギヤ列を構成している。したがって、該ギヤ列は、クランク軸２の左端部側に配置されることになる。このギヤ列については、後でさらに詳細に説明する。
【００２７】
一方、エンジン１のクランクケースの右側面図である図３に図示されるように、クランク軸２の右端部には、右クランクジャーナルから右に向かって順に、ドライブギヤ２１およびプライマリドライブギヤ２２が、それぞれクランク軸２にスプライン嵌合されていて、クランク軸２と一体に回転するようにされている。このドライブギヤ２１の回転は、一連のギヤを介して、前シリンダ３に組み付けられたシリンダヘッドに設けられた吸気カム軸および排気カム軸にそれぞれ取り付けられたカムドリブンギヤに伝達される。同様に、ドライブギヤ２１の回転は、別の一連のギヤを介して、後シリンダに組み付けられたシリンダヘッドに設けられた吸気カム軸および排気カム軸にそれぞれ取り付けられたカムドリブンギヤに伝達される。ここで、ドライブギヤ２１、前記一連のギヤおよびカムドリブンギヤは、カム軸駆動機構を構成している。
【００２８】
また、クランクケースの右側には、歯車変速機のメインシャフトの右端部に取り付けられた多板摩擦クラッチ２３が設けられている。なお、図３では、多板摩擦クラッチ２３は、そのカバーを外した状態で示されており、さらに部分的に、クラッチ構成部材の一部分を除いた状態で示されている。この多板摩擦クラッチ２３は、クランク軸２にスプライン嵌合されたプライマリドライブギヤ２２と噛合するプライマリドリブンギヤ２３ａを有しており、クランク軸２の回転は、プライマリドライブギヤ２２から、多板摩擦クラッチ２３、歯車変速機および駆動チェーンを介して後輪に伝達されるようになっている。
【００２９】
多板摩擦クラッチ２３の奥になる歯車変速機の変速ギヤ寄りのメインシャフトには、多板摩擦クラッチ２３に隣接して、オイルポンプをチェーン駆動するためのドライブスプロケット２４が、プライマリドリブンギヤ２３ａと一体的に回転するように設けられている。
【００３０】
オイルポンプ２５は下クランクケース５に取り付けられており、その吸入口には、一端がオイルパン６の底部に位置するオイルストレーナ２６に接続されたオイル吸入管２７の他端が接続されている。そして、オイルポンプ２５の吐出口には、下クランクケース５に直線状に形成された第１オイル通路２８の一端が接続されており、該第１オイル通路２８の他端は、オイルフィルタ１１の入口に接続されている。オイルフィルタ１１の出口には、下クランクケース５に直線状に形成された第２オイル通路２９の一端が接続されており、該第２オイル通路２９の他端は、やはり下クランクケース５に形成されたメインギャラリ３０に接続されている。
【００３１】
それゆえ、オイルパン６に貯留されているオイルは、オイルストレーナ２６を通ってオイル吸入管２７からオイルポンプ２５に吸入される。そして、オイルポンプ２５から吐出されたオイルは、第１オイル通路２８、オイルフィルタ１１および第２オイル通路２９を経てメインギャラリ３０に流入し、そこから、クランク軸２やカム軸等の潤滑箇所に供給される。なお、第１オイル通路２８にはリリーフバルブ３１が設けられていて、余剰のオイルはオイルパン６に還流される。
【００３２】
このように、オイルフィルタ１１が下クランクケース５前面に取り付けられているため、下クランクケース５に取り付けられたオイルポンプ２５からのオイルを、下クランクケース５のみに直線状に形成された第１および第２オイル通路２８，２９によりメインギャラリ３０に圧送することができる。したがって、オイル通路２８，２９は曲折部が少なく、通路構造が単純化され、その形成が容易になる。さらに、前記従来技術のように、オイルポンプ２５から吐出されるオイルのためのオイル通路をオイルパン６に形成する必要がないので、オイルパン６の小型化が可能となる。そのため、オイルパン６の右側面に沿って配置される排気管９の配置のスペースが広がり、排気管９の配置の自由度が増す。
【００３３】
つぎに、図１および図２を参照して、ギヤ列について説明する。
前述のように、ギヤ列は、ピニオンギヤ１２、第１減速ギヤ１３および第２減速ギヤ１４で構成されている。このうち、第１減速ギヤ１３は、トルクリミッタを内蔵した減速ギヤとなっている。すなわち、図２に図示されるように、第１減速ギヤ１３は、大径ギヤ部１３ｂと小径ギヤ部１３ｃとを備えている。大径ギヤ部１３ｂは、円筒形状のアウタ部材１３ｄの外周に形成されていて、ピニオンギヤ１２と噛合している。
【００３４】
このアウタ部材１３ｄの内周には、複数の摩擦ディスク１３ｅが設けられていて、各摩擦ディスク１３ｅの外周に周方向に形成された複数の爪が、アウタ部材１３ｄの内周に周方向に形成された軸線方向に延びる複数の溝にそれぞれ嵌合して、摩擦ディスク１３ｅがアウタ部材１３ｄと一体的に回転するようになっている。一方、ギヤ軸１３ａの外周には、摩擦ディスク１３ｅと交互に重ね合わされている複数の摩擦プレート１３ｆが設けられていて、各摩擦プレート１３ｆの内周に周方向に形成された複数の爪が、ギヤ軸１３ａの外周に周方向に形成された軸線方向に延びる複数の溝にそれぞれ嵌合して、摩擦プレート１３ｆがギヤ軸１３ａと一体的に回転するようになっている。
【００３５】
このギヤ軸１３ａは、その一端部が下クランクケース５に、他端部がクランクケースカバー７に、それぞれ軸受を介して支持されている。そして、このギヤ軸１３ａの外周に小径ギヤ部１３ｃがスプライン嵌合されて、ギヤ軸１３ａと一体的に回転するようになっている。
【００３６】
摩擦ディスク１３ｅと摩擦プレート１３ｆとはバネにより付勢されて、それらの間に摩擦力が作用するようにされている。そして、その摩擦力に基づいて、摩擦ディスク１３ｅと摩擦プレート１３ｆとが滑りを生じることなく、両者が一体的に回転できるトルクが設定される。そのため、スタータモータ１０が作動したとき、スタータモータ１０に作用するトルクが前述の設定されたトルク値以下のとき、摩擦ディスク１３ｅと摩擦プレート１３ｆとが一体的に回転し、その結果、アウタ部材１３ｄとギヤ軸１３ａとが一体的に回転して、スタータモータ１０の回転が、ピニオンギヤ１２から大径ギヤ部１３ｂ（アウタ部材１３ｄ）、摩擦ディスク１３ｅ、摩擦プレート１３ｆ、ギヤ軸１３ａを経て小径ギヤ部１３ｃに伝達される。そして、スタータモータ１０に作用するトルクが設定されたトルク値より大きなときは、摩擦ディスク１３ｅと摩擦プレート１３ｆとの間に滑りが生じて、スタータモータ１０に過負荷がかからないようになっている。
【００３７】
ギヤ軸１４ａに回転自在取り付けられている第２減速ギヤ１４は、第１減速ギヤ１３の小径ギヤ部１３ｃおよびスタータドリブンギヤ１５と噛合している。ギヤ軸１４ａの一端部はクランクケースの上クランクケース４に、その他端部はクランクケースカバー７にそれぞれ支持されている。
【００３８】
スタータモータ１０からクランク軸２への回転の伝達を許容し、クランク軸２からスタータモータ１０への回転の伝達を阻止するワンウェイクラッチ１６は、前述のようにスタータドリブンギヤ１５が固着されクランク軸２に軸受を介して回転自在に取り付けらたクラッチインナ１６ａと、クラッチインナ１６ａの外周に嵌合されて、ローラおよび該ローラを付勢するコイルスプリングが内蔵されたクラッチボディ１６ｂと、クラッチボディ１６ｂの外周に嵌合されて、交流発電機２０のフライホイール２０ａに固着されたクラッチアウタ１６ｃとを有している。
【００３９】
このような構成のギヤ列において、スタータモータ１０の回転は、ピニオンギヤ１２、第１減速ギヤ１３、第２減速ギヤ１４およびスタータドリブンギヤ１５、ワンウェイクラッチ１６、交流発電機２０からクランク軸２に伝達される。
【００４０】
図１に図示されるように、ギヤ列を構成するギヤである第２減速ギヤ１４のギヤ軸軸線Ｌ４は、クランク軸２を含む平面である分割面Ｐの前シリンダ３のシリンダ中心線Ｃ１の位置する側、すなわち分割面Ｐの上方に配置されている。そして、前シリンダ３のシリンダ中心線Ｃ１は分割面Ｐに対して前傾、換言すれば分割面Ｐのクランク軸軸線Ｌ１からギヤ列に向かって延びる分割面部分と前シリンダ３のシリンダ中心線Ｃ１との挟角が鋭角となっている。
【００４１】
このように、クランク軸２の左端部側にはクランク軸２から前シリンダ３のシリンダヘッドまで延びるカム軸駆動機構が配置されていないため、前シリンダ３が分割面Ｐ側に傾斜していても、ギヤ列とカム軸駆動機構との干渉が生じないため、第２減速ギヤ１４を、分割面Ｐの上方で前シリンダ３に接近させて配置することができる。したがって、ギヤ列を構成する残りのギヤの位置を、下クランクケース５において上方に位置させることができる。その結果、スタータモータ１０を下クランクケース５前面の上方に位置させることができ、その下方に生み出されたスペースにオイルフィルタ１１を取り付けることができる。
【００４２】
また、前記ギヤ列では、ピニオンギヤ１２のギヤ軸に相当するスタータモータ１０のシャフト１０ａの軸線Ｌ２および第１減速ギヤ１３のギヤ軸軸線Ｌ３が、分割面Ｐより下方に配置され、第２減速ギヤ１４のギヤ軸軸線Ｌ４が分割面Ｐより上方に配置されていたが、ギヤ列の別の配置として、図５ないし図７に図示されるギヤ列の配置を採用することも可能である。
【００４３】
すなわち、図５に図示されるギヤ列では、スタータモータ１０のシャフト１０ａ（ピニオンギヤ１２のギヤ軸）の軸線Ｌ２が分割面Ｐより下方に配置され、第１減速ギヤ１３のギヤ軸軸線Ｌ３および第２減速ギヤ１４のギヤ軸軸線Ｌ４が分割面Ｐより上方に配置されている。
【００４４】
図６に図示されるギヤ列では、スタータモータ１０のシャフト１０ａ（ピニオンギヤ１２のギヤ軸）の軸線Ｌ２および第２減速ギヤ１４のギヤ軸軸線Ｌ４が、分割面Ｐより下方に配置され、第１減速ギヤ１３のギヤ軸軸線Ｌ３が分割面Ｐより上方に配置されている。
【００４５】
図７に図示されるギヤ列では、第２減速ギヤ１４のギヤ軸軸線Ｌ４が分割面Ｐより下方に配置され、スタータモータ１０のシャフト１０ａ（ピニオンギヤ１２のギヤ軸）の軸線Ｌ２および第１減速ギヤ１３のギヤ軸軸線Ｌ３が、分割面Ｐより上方に配置されている。この例では、分割面部分と前シリンダ３のシリンダ中心線Ｃ１との挟角がこれまでの例のものより大きくされている。その結果、スタータモータ１０は、上クランクケース４前面に取り付けられている。
【００４６】
これらギヤ列の配置は、分割面部分とシリンダ中心線Ｃ１との挟角の大きさ、またギヤ列を構成するギヤ１２，１３，１４の周辺の部品との配置関係等を考慮して、適宜決定されるものである。
【００４７】
前記実施形態は以上のように構成されているので、次の効果を奏する。
クランク軸軸線方向の幅が狭いＶ型２気筒エンジン１において、スタータモータ１０がクランクケース前面に取り付けられており、しかもクランク軸軸線Ｌ１からギヤ列に向かって延びる分割面部分と前シリンダ３のシリンダ中心線Ｃ１との挟角が鋭角となっているため、前シリンダ３がスタータモータ１０に近づいて位置しているにも拘わらず、ギヤ列は、カム軸駆動機構が配置されているクランク軸２の右端部側とは反対側のクランク軸２の左端部側に配置されているため、カム軸駆動機構のドライブギヤ２１および一連のギヤと干渉することなく、ギヤ列を構成する複数のギヤの一部のギヤである第１減速ギヤ１３の軸線Ｌ３および／または第２減速ギヤ１４のギヤ軸軸線Ｌ４を分割面Ｐより上方の上クランクケース４に配置すること、または同様にギヤ列を構成する複数のギヤの一部のギヤであるピニオンギヤ１２のギヤ軸軸線Ｌ２を分割面Ｐより上方の上クランクケース４に配置することができる。
【００４８】
したがって、スタータモータ１０を、上クランクケース４に近づけた状態で下クランクケース５前面に取り付けること、または上クランクケース４前面に取り付けることができる。その結果、スタータモータ１０を前シリンダ３に近づけてクランクケース前面に取り付けることが可能となって、スタータモータ１０が前シリンダ３に近づいた分、下クランクケース５前面にスペースが生み出され、そのスペースをオイルフィルタ１１の取り付けスペースとして利用できる。
【００４９】
さらに、分割面Ｐを挟んでギヤ列を構成する複数のギヤ１２，１３，１４を上クランクケース４および下クランクケース５に分散して配置できるので、スタータモータ１０とクランク軸２との間の間隔を大きくすることなくギヤ列を配置でき、クランクケースをコンパクトにすることができる。
【００５０】
オイルポンプ２５が取り付けられている下クランクケース５の前面にスタータモータ１０およびオイルフィルタ１１が取り付けられていることから、オイルポンプ２５からのオイルを、下クランクケース５のみに直線状に形成されたオイル通路２８，２９を介して、オイルフィルタ１１そしてメインギャラリ３０に圧送することが可能となり、オイル通路構造が単純化され、その形成が容易になり、コスト低減が可能となる。さらに、前記従来技術のようにオイルパン６にオイル通路を形成する必要がないのでオイルパン６の小型化が可能である。
【００５１】
スタータモータ１０の下方において、下クランクケース５前面に生み出されたスペースにオイルフィルタ１１を取り付けたので、従来技術のようにオイルパン６前面にオイルフィルタ１１が突出していないために生み出されたオイルパン６の周辺のスペース、およびオイルパン６の小型化により生み出されたスペースを利用することにより、従来、オイルパンに取り付けられていたオイルフィルタの周辺に配置されていた部品である排気管９の、よりコンパクトな配置や性能本位に基づいた配置などの配置の自由度が増す。
【００５２】
前記実施形態では、クランク軸軸線Ｌ１を含む平面は、クランクケースの分割面Ｐであったが、分割面Ｐ以外のクランク軸軸線Ｌ１を含む平面であってもよい。
【００５３】
前記実施形態では、ギヤ列を構成するピニオンギヤ１２、第１減速ギヤ１３および第２減速ギヤ１４の一部のギヤのギヤ軸線のみが分割面Ｐの上方に配置されていたが、ギヤ列を構成するこれら全ギヤ１２，１３，１４のギヤ軸軸線Ｌ２，Ｌ３，Ｌ４が分割面Ｐの上方にあってもよい。
【００５４】
前記実施形態では、２個の減速ギヤ１３，１４が使用されていたが、減速ギヤは、１個または３個以上であってもよい。また、減速ギヤはトルクリミッタを内蔵したものでなくてもよい。
【００５５】
前記実施形態では、カム軸駆動機構は、一連のギヤを用いたギヤ駆動であったが、クランク軸２とカム軸との間に掛け渡したチェーンを用いたチェーン駆動であってもよい。
【００５６】
前記実施形態では、エンジン１は２気筒であるが、単気筒または３気筒以上のエンジンであってもよい。また、２気筒以上のエンジンであるときは、エンジンの配列はＶ型のものでも、Ｖ型以外のものでもよい。さらに、エンジン１は、自動２輪車以外の車両に搭載されてもよく、また車両以外のものに搭載されてもよい。
【図面の簡単な説明】
【図１】本出願発明の一実施形態であるスタータモータ付き頭上カム軸式Ｖ型２気筒エンジンの左側面図である。
【図２】図１のＩＩ−ＩＩ線での断面図である。
【図３】図１のスタータモータ付き頭上カム軸式Ｖ型２気筒エンジンの右側面図である。
【図４】図１のスタータモータ付き頭上カム軸式Ｖ型２気筒エンジンの下クランクケースおよびオイルパンの正面図である。
【図５】図１のスタータモータ付き頭上カム軸式Ｖ型２気筒エンジンにおいて、別の配置のギヤ列を有するエンジンの左側面図である。
【図６】図１のスタータモータ付き頭上カム軸式Ｖ型２気筒エンジンにおいて、さらに別の配置のギヤ列を有するエンジンの左側面図である。
【図７】図１のスタータモータ付き頭上カム軸式Ｖ型２気筒エンジンにおいて、さらに別の配置のギヤ列を有するエンジンの左側面図である。
【符号の説明】
１…頭上カム軸式Ｖ型２気筒エンジン、２…クランク軸、３…前シリンダ、４…上クランクケース、５…下クランクケース、６…オイルパン、７…クランクケースカバー、８…コネクティングロッド、９…排気管、１０…スタータモータ、１１…オイルフィルタ、１２…ピニオンギヤ、１３，１４…減速ギヤ、１５…スタータドリブンギヤ、１６…ワンウェイクラッチ、
２０…交流発電機、２１…ドライブギヤ、２２…プライマリドライブギヤ、２３…多板摩擦クラッチ、２４…ドライブスプロケット、２５…オイルポンプ、２６…オイルストレーナ、２７…オイル吸入管、２８，２９…オイル通路、３０…メインギャラリ、３１…リリーフバルブ。
【図１】
0004049474.tif 000002
【図２】
0004049474.tif 000003
【図３】
0004049474.tif 000004
【図４】
0004049474.tif 000005
【図５】
0004049474.tif 000006
【図６】
0004049474.tif 000007
【図７】
0004049474.tif 000008